(57)【要約】【課題】利便性の高い虫捕獲装置を提供する。【解決手段】  虫捕獲装置１の捕獲部２では、虫捕獲用の溶液２２を環状凹部２０に貯留すると共に、この環状凹部２０の内周側に虫進入用開口２４を形成して、虫を溶液２２側に導くようにする。また、捕獲部２の上方はカバー部４で覆うようにする。餌保持部６は、虫誘引用の餌を載せる餌台６２を下端に備えた支柱６０を、虫進入用開口２４から下方に挿入するようにして、餌を捕獲部２の底側で保持できるようにする。【選択図】図１
0003126602.tif 000002
【実用新案登録請求の範囲】
【請求項１】
虫捕獲用の溶液を環状凹部に貯留すると共に、前記環状凹部の内周側に形成される虫進入用開口を介して虫を前記溶液に導く捕獲部と、
前記捕獲部の上方を覆うカバー部と、
虫誘引用の餌を載せる餌台を下端に備えた支柱を、前記虫進入用開口から下方に挿入することで、前記餌を前記捕獲部の底側で保持可能な餌保持部と、
を備えることを特徴とする虫捕獲装置。
【請求項２】
前記餌保持部の前記支柱が前記虫進入用開口と係合することで、前記餌保持部が前記捕獲部に固定されることを特徴とする請求項１記載の虫捕獲装置。
【請求項３】
前記餌保持部の前記支柱の上端が前記カバー部に連結されることで、前記餌保持部が前記カバー部に固定されること特徴とする請求項１記載の虫捕獲装置。
【請求項４】
前記カバー部が前記捕獲部に対して着脱自在とされており、前記カバー部と前記捕獲部の当接領域における前記カバー部の内壁が、前記捕獲部の内壁と比較して内側に突出していることを特徴とする請求項１、２又は３記載の虫捕獲装置。
【請求項５】
前記カバー部には、有底筒状の収容ポケットが形成されており、前記収容ポケットの取出し口が前記カバー部の外側上方に開口していることを特徴とする請求項１乃至４のいずれか記載の虫捕獲装置。
【請求項６】
前記収容ポケットの底側が、前記カバー部の内側下方に突出すると共に、前記収容ポケットの前記取出し口側が、前記カバー部の外側上方に突出していることを特徴とする請求項５記載の虫捕獲装置。
【請求項７】
前記収容ポケットの前記取出し口にキャップが配置されており、前記キャップを周方向に回転させることに伴って、前記収容ポケットの内外を連通させる通気口が開閉することを特徴とする請求項５又は６記載の虫捕獲装置。
【請求項８】
前記収容ポケットが光透過性素材で構成されており、前記収容ポケットの内部に、前記捕獲部の前記虫進入用開口近傍を照らす照明装置が配置可能となっていることを特徴とする請求項５、６又は７記載の虫捕獲装置。
【請求項９】
前記収容ポケットの底側が、前記捕獲部の前記虫進入用開口近傍に接近しており、且つ、前記収容ポケットの底側が拡張していることを特徴とする請求項５乃至８のいずれか記載の虫捕獲装置。
【請求項１０】
前記カバー部には、前記捕獲部の前記虫進入用開口近傍を照らす照明装置が設置されていることを特徴とする請求項１乃至９のいずれか記載の虫捕獲装置。
【請求項１１】
前記カバー部が光透過性素材で構成されると共に、前記捕獲部が非光透過性素材で構成されることを特徴とする請求項１乃至１０のいずれか記載の虫捕獲装置。
【考案の詳細な説明】
【技術分野】
【０００１】
本考案は、ハエ等の虫を捕獲するための虫捕獲装置に関する。
【背景技術】
【０００２】
従来、ハエ等の虫を誘い込んで捕獲する手段として、床に餌を配置すると共に、その餌の上方に虫用トラップを浮かした状態で配置する虫捕獲装置が存在する。この虫捕獲装置は、捕獲部とカバー部を備えている。捕獲部は、虫捕獲用の溶液を環状凹部に貯留する構造となっており、この中央には虫進入用開口（トラップ）が形成される。従って、この虫進入用開口の下には餌が位置するようになっている。カバー部は、捕獲部の上方を覆う。
【０００３】
餌にひき付けられて捕獲部の底側中央に進入したハエ等の虫は、溶液の芳香等によって上昇して虫進入用開口を通過して内部に進入し、捕獲部上方、即ち溶液の上を飛び回る。捕獲部の上方はカバー部によって覆われているので、逃げ場を失ったハエは、最終的に溶液に自ら進入して溺死する。
【０００４】
この虫捕獲装置では、既に述べたように、床側に餌を配置する必要がある。餌は、皿に載せされて床に直接配置する場合や、捕獲部の底面側に餌台を固定して、この餌台に餌を載せる場合がある（例えば、特許文献１参照）。
【特許文献１】特開２００３−７０４０３号公報
【考案の開示】
【考案が解決しようとする課題】
【０００５】
しかしながら、餌台を捕獲部の底面側に予め固定しておく構造の場合、捕獲部の虫進入用開口から手や箸を用いて餌を挿入しなければならないという問題があった。また、装置全体を持ち上げて、底側から餌台に餌を載せる方法も考えられるが、捕獲部に貯留される溶液がこぼれてしまうという問題があった。そこで、餌台への餌の配置を容易にするには、虫進入用開口を大きくし、手や指先を容易に挿入できるようにすれば良いが、一方で、虫進入用開口のトラップ機能が低下し、進入したハエが、虫進入用開口を介して逃げ出してしまうという問題があった。
【０００６】
更に、この虫捕獲装置は、虫の捕獲専用機能であることから、これを室内に設置する行為がファッション性に欠けることにつながるので、設置をためらう傾向があった。
【０００７】
本考案は、斯かる実情に鑑みてなされたものであり、利便性を高め、又その設置目的の多様化によって気兼ねなく利用可能な虫捕獲装置を提供しようとするものである。
【課題を解決するための手段】
【０００８】
上記目的は、以下の手段によって達成される。
【０００９】
（１）虫捕獲用の溶液を環状凹部に貯留すると共に、前記環状凹部の内周側に形成される虫進入用開口を介して虫を前記溶液に導く捕獲部と、前記捕獲部の上方を覆うカバー部と、虫誘引用の餌を載せる餌台を下端に備えた支柱を、前記虫進入用開口から下方に挿入することで、前記餌を前記捕獲部の底側で保持可能な餌保持部と、を備えることを特徴とする虫捕獲装置。
【００１０】
（２）前記餌保持部の前記支柱が前記虫進入用開口と係合することで、前記餌保持部が前記捕獲部に固定されることを特徴とする上記（１）記載の虫捕獲装置。
【００１１】
（３）前記餌保持部の前記支柱の上端が前記カバー部に連結されることで、前記餌保持部が前記カバー部に固定されること特徴とする上記（１）記載の虫捕獲装置。
【００１２】
（４）前記カバー部が前記捕獲部に対して着脱自在とされており、前記カバー部と前記捕獲部の当接領域における前記カバー部の内壁が、前記捕獲部の内壁と比較して内側に突出していることを特徴とする上記（１）、（２）又は（３）記載の虫捕獲装置。
【００１３】
（５）前記カバー部には、有底筒状の収容ポケットが形成されており、前記収容ポケットの取出し口が前記カバー部の外側上方に開口していることを特徴とする上記（１）乃至（４）のいずれか記載の虫捕獲装置。
【００１４】
（６）前記収容ポケットの底側が、前記カバー部の内側下方に突出すると共に、前記収容ポケットの前記取出し口側が、前記カバー部の外側上方に突出していることを特徴とする上記（５）記載の虫捕獲装置。
【００１５】
（７）前記収容ポケットの前記取出し口にキャップが配置されており、前記キャップを周方向に回転させることに伴って、前記収容ポケットの内外を連通させる通気口が開閉することを特徴とする上記（５）又は（６）記載の虫捕獲装置。
【００１６】
（８）前記収容ポケットが光透過性素材で構成されており、前記収容ポケットの内部に、前記捕獲部の前記虫進入用開口近傍を照らす照明装置が配置可能となっていることを特徴とする上記（５）、（６）又は（７）記載の虫捕獲装置。
【００１７】
（９）前記収容ポケットの底側が、前記捕獲部の前記虫進入用開口近傍に接近しており、且つ、前記収容ポケットの底側が拡張していることを特徴とする上記（５）乃至（８）のいずれか記載の虫捕獲装置。
【００１８】
（１０）前記カバー部には、前記捕獲部の前記虫進入用開口近傍を照らす照明装置が設置されていることを特徴とする上記（１）乃至（９）のいずれか記載の虫捕獲装置。
【００１９】
（１１）前記カバー部が光透過性素材で構成されると共に、前記捕獲部が非光透過性素材で構成されることを特徴とする上記（１）乃至（１０）のいずれか記載の虫捕獲装置。
【考案の効果】
【００２０】
本考案によれば、餌交換等における利便性を高める事が可能になるという優れた効果を奏し得る。
【考案を実施するための最良の形態】
【００２１】
以下、本考案の実施の形態を添付図面を参照して説明する。
【００２２】
図１（Ａ）の上面図、（Ｂ）の正面図、図２（Ａ）の右側面図、（Ｂ）の背面図には、本考案の実施形態に係る虫捕獲装置１が示されている。この虫捕獲装置１は、捕獲部２、カバー部４、餌保持部６を備えて構成される。捕獲部２の外観はお椀型又は皿型であり、一方、カバー部４の外観は、お椀を伏せたようなドーム型となっている。
【００２３】
図３に示されるように、捕獲部２には環状凹部２０が形成されている。この環状凹部２０には、虫捕獲用の溶液２２（具体的には水や芳香性を有する捕獲剤）をドーナツ形状で貯留する。また、環状凹部２０の内周側に位置する内側環状壁２０Ａの上端縁には、虫進入用開口２４が形成されている。従って、環状凹部２０の内側環状壁２０Ａと上端縁の虫進入用開口２４が、ハエ等の虫をひっかけるトラップ筒として機能することになり、この虫進入用開口２４を介して虫を溶液２２に導くことを可能にする。更に図４に拡大して示されるように、この捕獲部２の底面２０Ｂには、周方向３箇所において下方に突出する脚部２６が形成されており、環状凹部２０が浮いた状態で保持される。なお、この捕獲部２は、非光透過性の樹脂によって形成されており、内部の溶液２２が直接見えないようになっている。
【００２４】
カバー部４は透明又は半透明の光透過性素材で構成されており、捕獲部２の上方を覆うようになっている。具体的に図３及び図５に示されるように、このカバー部４の下縁部４０は、環状凹部２０Ａの外側環状壁２０Ｃの上縁部２０Ｅに対して着脱自在に嵌め合わされる。更に、このカバー部４と捕獲部２の当接領域Ｄにおいて、カバー部４（下縁部２０）の内壁４０Ａが、捕獲部２（上縁部２０Ｅ）の内壁２０Ｆと比較して、微小寸法Ｓだけ内側に突出している。この結果、溶液２２が蒸発して、カバー部４の内壁が結露した場合であっても、その液滴が内壁２０Ａに沿って環状凹部２０側に落下するので、外に漏れ出すことが防止される。
【００２５】
また、図３に戻って、カバー部４の頂上近傍には収容ポケット４２が形成されている。この収容ポケット４２は、底４２Ａを有する筒状部材であって、上方の取出し口４２Ｂが、カバー部４の外側上方に開口するようになっている。また、この収容ポケット４２の外観は、鉛直方向に延在する柱形状であるので、収容ポケット４２の取出し口４２Ｂ側が、カバー部４の外側上方に突出すると共に、その底側がカバー部４の内側下方に突出するようになっている。この結果、収容ポケット４２の底側が、虫進入用開口２４に接近するようになっており、内部空間に進入した虫が虫進入用開口２４から逃げ出そうとする際に、収容ポケット４２が邪魔するようになっている。従って、捕獲効率を高めることが可能となる。なお、収容ポケット４２の上側は、カバー部４の取手として機能する。
【００２６】
また、図６に拡大して示されるように、この収容ポケット４２の取出し口４２Ｂには、キャップ４４が配置されている。このキャップ４４は、把持部４４Ａ、嵌め合い部４４Ｂ、これらの間に位置するツバ４４Ｆから構成されている。把持部４４Ａは、キャップ４４を手で掴む部位である。また、嵌め合い部４４Ｂは、筒状の部材であって取出し口４２Ｂの内壁に嵌め合う構造となっている。この嵌め合い部４４Ｂの外周には摩擦突起４４Ｃが形成されており、この摩擦突起４４Ｃが取出し口４２Ｂの内壁に接触することで、この摩擦力によってキャップ４４が固定される。なお、この摩擦突起４４Ｃの存在によって、嵌め合い部４４Ｂと取出し口４２Ｂの間には隙間が形成されるようになっており、この隙間が後述する通気口４６として機能する。
【００２７】
嵌め合い部４４Ｂの外周面には、軸方向に変位する通気口形成カム４４Ｄが周方向に形成されており、この通気口形成カム４４Ｄが、取出し口４２に形成される係合突起４２Ｃに接触する。この結果、キャップ４４を周方向に回転させることに伴って、キャップ４４が上下運動する。この結果、ツバ４４Ｆが取出し口４２の上面に対して接触・離反を繰り返すので、収容ポケット４２の内外を連通させる通気口４６が開閉することになる。従って、例えば図７に示されるように、この収容ポケット４２の内部に芳香剤９０を収容しておけば、適宜、通気口４６を介して香りを放出することが可能になり、この虫捕獲装置１を芳香装置として利用することができるようになる。
【００２８】
餌保持部６は、図８に拡大して示されるように、４本の支柱６０と、支柱６０の下端によって保持される餌台６２を備えており、この餌台６２には虫誘引用の餌が載せられるようになっている。４本の支柱６０の上端は、全て係合リング６４に連結されている。図３に示されるように、餌台６２及び４本の支柱６０を、虫進入用開口２４から下方に挿入することで、係合リング６４を虫進入用開口２４に係合させる。この結果、餌保持部６が捕獲部２に固定されることになり、餌が捕獲部２の底側で空中に保持されることになる。
【００２９】
次に、図３を参照しながら、この虫捕獲装置１の使用方法について説明する。
【００３０】
まず、カバー部４の収容ポケット４２のキャップ側の突出部分を把持し、カバー部４を上方に引っ張り上げて、カバー部４を捕獲部２から取り外す。次に、この捕獲部２における環状凹部２０に、捕獲用の溶液２２を注ぎ込む。この溶液２２は水でも良いが、望ましくは虫が好む香りを発する芳香性の溶液にする。その後、餌保持部６を上方に取り外し、餌台６２に虫誘引用の餌を載せて、元に戻す。この場合、餌保持部６の係合リング６４を手で掴み、支柱６０及び餌台６２を虫進入用開口２４から床側に向かって挿入する。この結果、係合リング６４が虫進入用開口２４に引っかかり、捕獲部２に餌保持部６が固定される。餌としては、虫誘引用に専用開発された餌でも良いが、米粒や野菜、果実等、日常生活で利用している食材を利用することも可能である。
【００３１】
その後、カバー部４を捕獲部２に固定することで、捕獲部２の上方空間を覆うようにし、ハエ等の虫が逃げるのを抑制する。その後、カバー部４の収容ポケット４２内に芳香剤を入れてキャップ４４を閉じ、このキャップ４４を所定角度だけ周方向に回転させて通気口４６を開放し、好みの芳香量になるようにツバ４４Ｆの高さを調整する。
【００３２】
ハエ等の虫は、虫捕獲装置１の底側に配置される餌に誘引され、矢印Ａに沿って捕獲部２の底側を通過して餌に近寄る。餌台６２近辺は比較的暗い空間となっているが、カバー部４は光透過性素材で構成されているので、カバー部４を透過した外光が虫進入用開口２４を介して餌台６２側に差し込んでくる。ハエ等の虫は、明るい方向に移動する習性があることから、虫が環状凹部２０の内側環状壁２０Ａに沿って上昇し、虫進入用開口２４を介して捕獲部２の上方空間に進行する。この虫は、環状凹部２０の上方を飛び回るが、カバー部４によって覆われていることから、外に逃げ出す事が出来ない。一方、虫侵入用開口２４は、餌台６２側が暗いことに加えて、収容ポケット４２の底４２Ａが虫進入用開口２４側に接近している。従って、虫が、この虫進入用開口２４の狭い隙間から逃げ出す事が困難となる。この結果、ハエ等の虫は最終的に環状凹部２０の溶液２２に自ら進入し、捕獲される事になる。
【００３３】
また、虫捕獲装置１の使用中は、装置内部が高温になりやすいことから、溶液２２が蒸発することがある。その場合、溶液２２がカバー部４に結露する。カバー部４と捕獲部２の嵌め合い部分では、カバー部４の内壁４０Ａが捕獲部２の内壁２０Ｆと比較して内側に突出しているので、内壁４０Ａに沿って落下して環状凹部２０に戻ることになり、溶液２２の減少を抑制する事が出来る。
【００３４】
この虫捕獲装置１によれば、捕獲部２を移動させること無く、餌保持部６を上方に取り出すことが可能であるので、餌の交換が極めて容易である。特に、餌として米粒や液体等の不安定な食材を利用する場合であっても、支柱６０を利用して虫進入用開口２４から安定した状態で餌台６２を挿入する事が出来るので、餌の落下を防止できる。また、捕獲部２の上方から作業できるので、捕獲部２を移動させる必要が無いので、餌保持部６のみを頻繁に取り出して洗浄する事ができる。
【００３５】
またこの虫捕獲装置１によれば、カバー部４に収容ポケット４２が形成されているので、芳香剤９０等を収容することによって芳香装置として利用する事ができる。この結果、虫捕獲装置１の設置理由の一つとして室内の芳香目的が付加されることから、虫捕獲目的で本装置１を設置していることを他言したくない利用者にとって、心理的に利用し易い装置となる。更に本虫捕獲装置１によれば、この収容ポケット４２の下方側が虫進入用開口２４に接近しているので、一旦進入した虫が、虫進入用開口２４に戻りにくい構造となっている。従って、捕獲効率を高める事が可能となっている。また、本虫捕獲装置１では、捕獲部２が非光透過性素材、カバー部４が光透過性素材によって構成されているので、餌台６２を敢えて暗くすると共に、虫進入用開口２４側を明るくする事で、虫が上方に移動し易いようになっている。
【００３６】
なお、上記実施形態では、収容ポケット４２に芳香剤９０を収容した場合に限って示したが、本考案はそれに限定されない。例えば、図９（Ａ）に示されるように、収容ポケット４２に水をはり、花等の植物９６を活けるようにしてもよい。このようにすると、芳香目的ではなく、花瓶目的として虫捕獲装置１を利用する事が可能となる。特にカバー部４の内部には液体である溶液２２が配置されている事から、水を必要とする花瓶目的で利用しても違和感が無いので、室内装飾目的として利用し易い。また、図９（Ｂ）のように、この収容ポケット４２に照明装置７０を収容することも好ましい。この照明装置７０は、単３又は単４サイズの電池７２、この電池７２の先端に固定されるソケット７６、ソケット７６に設置される電球７４（ＬＥＤ照明も可能）を備え、この電球７４が収容ポケット４２の底側に位置するよう。このようにすることで、光透過性素材で構成される収容ポケット４２から、虫侵入用開口２４近傍を明るく照らすことが可能となり、特に夜間等においても虫の捕獲効率を高める事が可能となっている。なお、ここでは照明装置７０を収容ポケット４２に設置する場合に限って示したが、本考案はそれに限定されず、収容ポケット４２とは別に、照明装置７０を設置するようにしても良い。
【００３７】
また、本実施形態では、餌保持部６を捕獲部２に固定する場合を示したが、本考案はそれに限定されない。例えば図１０に示されるように、餌保持部６の支柱６０の上端を、カバー部４に固定するようにしてもよい。ここでは特に、カバー部４における収容ポケット４２の底面に餌保持部６が固定されている。これにより、カバー部４の着脱動作と同時に、餌台６２の取り出し・設置が完了するので、利便性をより高めることが出来る。なお、この場合には、カバー部４に対して支柱６４が着脱できるようにしておくことが望ましい。
【００３８】
また、本実施形態では、収容ポケット４２の底側が虫進入用開口２４に接近している場合を示したが、図１１に示されるように、更に収容ポケット４２の底側が径方向外側に拡張している事も好ましい。このようにすると、一旦、溶液２２の上方に侵入した虫に対して、収容ポケット４２と虫進入用開口２４がトラップとして機能して、戻りにくくなるので、捕獲効率を高める事が出来る。また、結露した溶液２２が、収容ポケット４２の拡張部を介して環状凹部２０側に落下するので、溶液２２の減少を防止できる。
【００３９】
なお、本実施形態では、環状凹部として円形のドーナツ形状の凹部の場合を示したが、本考案では、円形にする場合に限定されない。また、厳密に環状にする必要は無く、複数のブロックに区分された凹部が周方向に複数配置されて、実質的に捕獲機能を発揮できるような状態も含むものである。また、本実施形態では、捕獲部２が非透明素材によって構成される場合に限って示したが、本考案はそれに限定されず、透明素材によって構成することも勿論可能である。
【００４０】
尚、本考案の虫捕獲装置は、上記した実施の形態に限定されるものではなく、本考案の要旨を逸脱しない範囲内において種々変更を加え得ることは勿論である。
【産業上の利用可能性】
【００４１】
本考案によれば、捕獲効率を高めながらも、餌交換等における利便性を高めることが可能になる。
【図面の簡単な説明】
【００４２】
【図１】本考案の実施の形態に係る虫捕獲装置の（Ａ）上面図、（Ｂ）正面図
【図２】同虫捕獲装置の（Ａ）右側面図、（Ｂ）背面図
【図３】同虫捕獲装置の断面図
【図４】同虫捕獲装置の底面図
【図５】図３における領域Ｄの部分拡大断面図
【図６】同虫捕獲装置における収容ポケットのキャップ構造を拡大して示す部分断面図
【図７】同収容ポケットに芳香剤を収容した状態を示す部分断面図
【図８】同虫捕獲装置の餌保持部を拡大して示す斜視図
【図９】同収容ポケットに（Ａ）植物を収容した状態、（Ｂ）照明装置を収容した状態を示す断面図
【図１０】同虫捕獲装置の餌保持部の他の構成例を示した断面図
【図１１】同虫捕獲装置の収容ポケットの他の構成例を示した断面図
【符号の説明】
【００４３】
１      虫捕獲装置
２      捕獲部
４      カバー部
６      餌保持部
２０    環状凹部
２４    虫進入用開口
４２    収容ポケット
６０    支柱
６２    餌台
【図１】
0003126602.tif 000003
【図２】
0003126602.tif 000004
【図３】
0003126602.tif 000005
【図４】
0003126602.tif 000006
【図５】
0003126602.tif 000007
【図６】
0003126602.tif 000008
【図７】
0003126602.tif 000009
【図８】
0003126602.tif 000010
【図９】
0003126602.tif 000011
【図１０】
0003126602.tif 000012
【図１１】
0003126602.tif 000013